(57)【要約】【課題】  ディスクケースの放熱を助け、ディスクケースの温度を低下させることにより、ハードディスクに記録された磁力が劣化するのを防ぐ情報処理装置を提供すること。【解決手段】  ハードディスク７０と、ハードディスク７０を回転するディスク回転モータ６８と、ディスク回転モータ６８およびハードディスク７０を内部に保持するディスクケース６２と、ディスクケース６２の外側に塗布されている粒状セラミックス６０とを備えた。粒状セラミックス６０は、ディスクケース６２の外側におけるディスク回転モータ６８に対向する領域に形成された凹凸７２の上に塗布されている。凹凸７２は、ディスクケース６２の外側に対して約４５度の傾きを有する。【選択図】  図１
2006079679.tif 000002
【特許請求の範囲】
【請求項１】
ハードディスクと、
前記ハードディスクを回転するディスク回転モータと、
前記ディスク回転モータおよび前記ハードディスクを内部に保持するディスクケースと、
前記ディスクケースの外側に塗布されている粒状セラミックスと
を備えた情報処理装置。
【請求項２】
前記粒状セラミックスは、前記ディスクケースの外側における前記ディスク回転モータに対向する領域に塗布されている請求項１に記載の情報処理装置。
【請求項３】
前記ディスク回転モータを制御するハードディスク制御部と、
前記ディスクケース及び前記ハードディスク制御部を内部に有する筐体と、
前記筐体の内側における、前記ディスクケースに対向する領域に塗布されている吸熱材と
をさらに有する、請求項２に記載の情報処理装置。
【請求項４】
前記吸熱材は、前記筐体の内側における、前記ディスクケースの外側に塗布された前記粒状セラミックスに対向する領域に塗布されている請求項３に記載の情報処理装置。
【請求項５】
前記吸熱材は、粒状セラミックスである請求項３に記載の情報処理装置。
【請求項６】
前記ディスクケースの外側に設けられている凹凸を更に備える請求項１に記載の情報処理装置。
【請求項７】
前記粒状セラミックスは、前記凹凸の上に塗布されている請求項６に記載の情報処理装置。
【請求項８】
前記凹凸は、前記ディスクケースの外側における前記ディスク回転モータに対向する領域に設けられている請求項７に記載の情報処理装置。
【請求項９】
前記凹凸は、前記ディスクケースの外側に対して約４５度の傾きを有する請求項６に記載の情報処理装置。
【請求項１０】
ハードディスクと、
前記ハードディスクを回転するディスク回転モータと、
前記ディスク回転モータおよび前記ハードディスクを内部に保持するディスクケースと、
前記ディスクケースの外側に塗布されている粒状セラミックスと
を備えたハードディスク装置。
【請求項１１】
前記粒状セラミックスは、前記ディスクケースの外側における前記ディスク回転モータに対向する領域に塗布されている請求項１０に記載のハードディスク装置。
【請求項１２】
前記ディスクケースの外側に設けられている凹凸を更に備え
前記粒状セラミックスは、前記凹凸の上に塗布されている請求項１０に記載のハードディスク装置。
【請求項１３】
前記凹凸は、前記ディスクケースの外側における前記ディスク回転モータに対向する領域に設けられている請求項１２に記載のハードディスク装置。
【請求項１４】
前記凹凸は、前記ディスクケースの外側に対して約４５度の傾きを有する請求項１２に記載のハードディスク装置。
【発明の詳細な説明】
【技術分野】
【０００１】
本発明は、ディスクケースの放熱を助け、ディスクケースの温度を低下させることにより、ハードディスクに記録された磁力が劣化するのを防ぐことができる情報処理装置およびハードディスク装置に関する。
【背景技術】
【０００２】
ハードディスク装置は、情報の読み書き速度を向上させるために、ハードディスクを高速に回転させる。この場合、ハードディスクを回転させるモータの発熱によりハードディスクが高温になると、ハードディスクに記録された磁力が劣化し、記録データが消失する恐れがある。従って、従来のハードディスク装置は、ディスクケース内部の熱を排出する通気孔を設けたり、冷却ファンでディスクケースを冷却したりすることによってディスクケースの温度上昇を抑制し、ハードディスクに記録された磁力の劣化を防止していた（例えば特許文献１参照。）。
【特許文献１】特開２００３−２０９３８２号公報
【発明の開示】
【発明が解決しようとする課題】
【０００３】
しかしながら、ハードディスクに読み書きされるデータ量が増大するにつれて、ハードディスクをより一層高速に回転させる必要がある。この場合、ハードディスクを回転させるモータの発熱量が増大するので、従来の放熱手段では、ハードディスクの温度を十分に低下させることができないという課題があった。
【課題を解決するための手段】
【０００４】
このような課題を解決するために、本発明の第１の形態における情報処理装置は、ハードディスクと、前記ハードディスクを回転するディスク回転モータと、前記ディスク回転モータおよび前記ハードディスクを内部に保持するディスクケースと、前記ディスクケースの外側に塗布されている粒状セラミックスとを備えた。このため、ディスクケースの放熱を助け、ディスクケースの温度を低下させることにより、ハードディスクに記録された磁力が劣化するのを防ぐことができる。
【０００５】
前記粒状セラミックスは、前記ディスクケースの外側における前記ディスク回転モータに対向する領域に塗布されている。このため、ハードディスクのディスク回転モータ近傍が外部と比較して高温になることを防ぐことができる。このため、ハードディスクが反ることを避け、ひいてはハードディスクへのデータ書き込み精度およびハードディスクからのデータ読み出し精度を高めることができる。
【０００６】
また本形態における情報処理装置は、前記ディスク回転モータを制御するハードディスク制御部と、前記ディスクケース及び前記ハードディスク制御部を内部に有する筐体と、前記筐体の内側における、前記ディスクケースに対向する領域に塗布されている吸熱材とをさらに有する。吸熱材は、前記筐体の内側における、前記ディスクケースの外側に塗布された前記粒状セラミックスに対向する領域に塗布されている。このため、ディスクケースに塗布された粒状セラミックスが放射した赤外線を効率よく吸収する。
【０００７】
前記吸熱材は、粒状セラミックスである。このため、特に効率よく赤外線を吸収することができる。
【０００８】
また本形態における情報処理装置は、前記ディスクケースの外側に設けられた凹凸を更に備えている。このため、ディスクケースの放熱を促進することができる。さらに、前記粒状セラミックスは、前記凹凸の上に塗布されている。このため、凹凸からの放熱を、助長することができる。
【０００９】
前記凹凸は、前記ディスクケースの外側における前記ディスク回転モータに対向する領域に設けられている。このため、他の領域の強度を保ちつつ、ディスク回転モータに対向する領域から効率よく放熱させることができる。前記凹凸は、前記ディスクケースの外側に対して約４５度の傾きを有する。このため、ディスクケースの放熱面積を高めると共に、ディスクケースから放射された赤外線が再度ディスクケースに吸収されることを防ぐことができる。
【００１０】
本発明の第２の形態におけるハードディスク装置は、ハードディスクと、前記ハードディスクを回転するディスク回転モータと、前記ディスク回転モータおよび前記ハードディスクを内部に保持するディスクケースと、前記ディスクケースの外側に塗布されている粒状セラミックスとを備えた。このため、ディスクケースの放熱を助け、ディスクケースの温度を低下させることにより、ハードディスクに記録された磁力が劣化するのを防ぐことができる。
【００１１】
前記粒状セラミックスは、前記ディスクケースの外側における前記ディスク回転モータに対向する領域に塗布されている。このため、ハードディスクのディスク回転モータ近傍が外部と比較して高温になることを防ぐことができる。このため、ハードディスクが反ることを避け、ひいてはハードディスクへのデータ書き込み精度およびハードディスクからのデータ読み出し精度を高めることができる。また本形態におけるハードディスク装置は、前記ディスクケースの外側に設けられている凹凸を更に備え、前記粒状セラミックスは、前記凹凸の上に塗布されている。このため、凹凸からの放熱を、助長することができる。
【００１２】
前記凹凸は、前記ディスクケースの外側における前記ディスク回転モータに対向する領域に設けられている。このため、他の領域の強度を保ちつつ、ディスク回転モータに対向する領域から効率よく放熱させることができる。前記凹凸は、前記ディスクケースの外側に対して約４５度の傾きを有する。このため、ディスクケースの放熱面積を高めると共に、ディスクケースから放射された赤外線が再度ディスクケースに吸収されることを防ぐことができる。
【００１３】
なお上記の発明の概要は、本発明の必要な特徴の全てを列挙したものではなく、これらの特徴群のサブコンビネーションも又発明となりうる。
【発明を実施するための最良の形態】
【００１４】
以下、発明の実施の形態を通じて本発明を説明するが、以下の実施形態は特許請求の範囲にかかる発明を限定するものではなく、又実施形態の中で説明されている特徴の組み合わせの全てが発明の開発手段に必須であるとは限らない。
【００１５】
図１、図２、及び図３は、本実施形態に係る情報処理装置１０及びハードディスク装置１２の構造を示す。図１は、情報処理装置１０の全体の構成を示す。図２は、図１のＡ部の第１の例を示す図である。図３は、ハードディスク装置１２の平面図である。本実施形態は、ディスクケースの放熱を助け、ディスクケースの温度を低下させることにより、ハードディスクに記録された磁力が劣化するのを防ぐことができる情報処理装置１０及びハードディスク装置１２を提供することを目的とする。
【００１６】
図１及び図２に示すように、情報処理装置１０は、ハードディスク装置１２、制御部４０、筐体６４、及び吸熱材６６を備える。ハードディスク装置１２は、ハードディスク７０、ディスク回転モータ６８、ディスクケース６２、凹凸７２、及び粒状セラミックス６０を有する。ディスクケース６２は、ハードディスク７０、ディスク回転モータ６８、アクチュエータ８０、及び駆動基板８２を内部に保持する。ディスク回転モータ６８は、ハードディスク７０を高速で回転させる。アクチュエータ８０は磁気ヘッドをハードディスク７０上で移動させる。駆動基板８２は、ディスク回転モータ６８及びアクチュエータ８０を駆動する。制御部４０は、ハードディスク装置１２を制御する。筐体６４は、ハードディスク装置１２および制御部４０を内部に保持している。
【００１７】
ここで、粒状セラミックス６０は、ディスクケース６２の外側に塗布されている。好ましくは、図１及び図３に示すように、ディスクケース６２の外側における、ディスク回転モータ６８に対向する領域に塗布されている。また、凹凸７２は、ディスクケース６２の外側、好ましくは、ディスクケース６２の外側におけるディスク回転モータ６８に対向する領域において、ディスクケース６２の外側に対して約４５度の傾きで設けられている。粒状セラミックス６０は、凹凸７２の上に塗布されている。
【００１８】
吸熱材６６は、筐体６４の内側における、ディスクケース６２に対向する領域に塗布されている。好ましくは、ディスクケース６２の粒状セラミックス６０が塗布された領域に対向する領域に塗布されている。また、図２に示すように、凹凸７２の最も外側の斜面の放線方向を含む領域まで、吸熱材６６が塗布されていることが更に好ましい。この場合、凹凸７２の斜面の放線方向に吸熱材６６が塗布されているので、凹凸７２の表面に塗布されている粒状セラミックス６０から斜面の放線方向に放射される赤外線を吸熱材６６が効率よく吸収することができる。吸熱材６６は、粒状セラミックス６０と同様に粒状セラミックスからなる。吸熱材６６は、好ましくは、黒色の塗料として塗布されている。
【００１９】
図４は、図１のＡ部の第２の例を示す。本実施例においてハードディスクケース６２は、ディスク回転モータ６８に対向する部分が周囲よりもディスク回転モータ６８側に窪んでいる。凹凸７２及び粒状セラミックス６０は、当該窪みの範囲内に形成されている。当該窪みは、凹凸７２の高さよりも深い。従って、ハードディスク装置１２を取り扱う場合に、粒状セラミックス６０が人の手や机上等と接触して摩耗する可能性が低い。また、窪みの部分がディスク回転モータ６８に直接接触する一方で、窪み以外の部分は、ハードディスクケース６２内部の空間を拡大する。従って、窪みの部分でディスク回転モータ６８の放熱を助けると共に、窪み以外の部分でハードディスク装置１２の内部の部品高さを許容することができる。
【００２０】
ハードディスクケース６２は、ディスク回転モータ６８に接触するハードディスクケース６２ａと、それ以外のハードディスクケース６２ｂとを含んでもよい。この場合ハードディスクケース６２ａは、ハードディスクケース６２ｂよりも熱伝導率が高い材料であることが望ましい。例えば、窪み以外の部分を形成するハードディスクケース６２ｂが主に鉄から成る金属からなる場合、ディスク回転モータ６８と接触するハードディスクケース６２ｂは、鉄よりも熱伝導率の高いアルミニウム、銅等の金属であることが望ましい。これにより、ディスク回転モータ６８から発生する熱を効率よく粒状セラミックス６０から放散することができる。
【００２１】
粒状セラミックス６０及び吸熱材６６は、例えば特開２００４−２８１３号公報に開示されている以下の第１及び第２の工程によって形成することができる。
［第１工程：水性組成物の製造］ケイ酸ナトリウム水溶液２９．２質量％（アルカリ金属ケイ酸塩水溶液中）と、ケイ酸カリウム水溶液２９．２質量％（アルカリ金属ケイ酸塩水溶液中）と、純水４１．６質量％（アルカリ金属ケイ酸塩水溶液中）とを混合し、充分撹拌してアルカリ金属ケイ酸塩水溶液を調製する。
【００２２】
次に、上記アルカリ金属ケイ酸塩水溶液中に、アルカリ金属ケイ酸塩水溶液４５．５質量部に対して、２０．４質量部の二酸化ケイ素、７質量部のカオリン、１１．９質量部の酸化アルミニウム、７．４質量部の酸化チタン及び７．８質量部の酸化ジルコニウムの金属酸化物粉末を、前記アルカリ金属ケイ酸塩水溶液を撹拌をしながら投入し、充分撹拌し、金属酸化物粉末が充分分散したことを確認してから、さらに撹拌の回転数を上げ撹拌を継続して、水性組成物を得る。
【００２３】
［第２工程：塗膜組成物の形成］
凹凸７２の表面及び凹凸７２に対向する筐体６４の内側に上記第１工程で得られた水性組成物を塗布し、自然乾燥させる。そして、粒状セラミックス６０及び吸熱材６６を厚さ８０μの塗膜組成物として形成する。
【００２４】
以上の構成によれば、粒状セラミックス６０が、ディスクケース６２の外側に塗布されているので、ディスクケース６２の放熱を助け、ディスクケース６２の温度を低下させることができる。従って、ハードディスク７０に記録された磁力が劣化するのを防ぐことができる。また、粒状セラミックス６０が、ディスクケース６２の外側におけるディスク回転モータ６８に対向する領域に塗布されているので、ディスク回転モータ６８の近傍が周囲よりも高温になることを防ぐことができる。このため、ハードディスク７０の反りを防ぎ、ひいてはハードディスク７０へのデータ書き込み精度およびハードディスク７０からのデータ読み出し精度を高めることができる。
【００２５】
また、凹凸７２が、ディスクケース６２の外側に設けられているので、ディスクケース６２の放熱性を高めることができる。さらに、粒状セラミックス６０が凹凸７２の上に塗布されているので、凹凸７２の放熱性を一層高めることができる。さらに、凹凸７２が、ディスクケース６２の外側におけるディスク回転モータ６８に対向する領域に設けられているので、他の領域の強度を保ちつつ、ディスク回転モータ６８に対向する領域から効率よく放熱させることができる。
【００２６】
さらに、凹凸７２が、ディスクケース６２の外側に対して約４５度の傾きを有するので、ディスクケース６２の放熱面積を高めると共に、凹凸７２の表面から放射された赤外線が再度ディスクケース６２に吸収されることを防ぐことができる。また、吸熱材６６は、筐体６４の内側において、ディスクケース６２の粒状セラミックス６０が塗布された領域に対向して塗布されているので、ディスクケース６２に塗布された粒状セラミックス６０が放射した赤外線を効率よく吸収することができる。また、吸熱材６６は、黒色の塗料として塗布されている粒状セラミックスなので、特に効率よく赤外線を吸収することができる。
【００２７】
以上の説明から明らかなように本実施形態によれば、ディスクケースの放熱を助け、ディスクケースの温度を低下させることにより、ハードディスクに記録された磁力が劣化するのを防ぐことができる。
【００２８】
以上、本発明を実施の形態を用いて説明したが、本発明の技術的範囲は上記実施の形態に記載の範囲には限定されない。上記実施形態に、多様な変更又は改良を加えることができることが当業者に明らかである。その様な変更又は改良を加えた形態も本発明の技術的範囲に含まれることが、特許請求の範囲の記載から明らかである。
【図面の簡単な説明】
【００２９】
【図１】情報処理装置１０の全体の構成を示す図である。
【図２】図１のＡ部の第１の例を示す部分拡大図である。
【図３】ハードディスク装置１２の平面図である。
【図４】図１のＡ部の第２の例を示す部分拡大図である。
【符号の説明】
【００３０】
１０・・・情報処理装置、１２・・・ハードディスク装置、４０・・・制御部、６０・・・粒状セラミックス、６２・・・ディスクケース、６４・・・筐体、６６・・・吸熱材、６８・・・ディスク回転モータ、７０・・・ハードディスク、７２・・・凹凸、８０・・・アクチュエータ、８２・・・駆動基板
【図１】
2006079679.tif 000003
【図２】
2006079679.tif 000004
【図３】
2006079679.tif 000005
【図４】
2006079679.tif 000006